(57)【特許請求の範囲】
【請求項１】
枠体と、枠体に摺動自在に納めた内障子及び外障子と、クレセントと、拘束部材と、受け部材とを備え、内障子と外障子は、それぞれの召合框の対向面に煙返し部を有していて、一方の障子の煙返し部には、摺動方向に貫通する貫通孔を形成してあり、クレセントは、内障子の召合框と外障子の召合框とを拘束するものであり、拘束部材は、他方の障子の召合框の対向面に取り付けてあって、他方の障子の閉鎖方向に延びる係合片を有しており、受け部材は、一方の障子の召合框の対向面に取り付けてあり、内障子と外障子を閉鎖すると、係合片が貫通孔を貫通して受け部材に係合するものであることを特徴とするサッシ。
【発明の詳細な説明】
【技術分野】
【０００１】
本発明は、火災時に延焼を防ぐ防火対応のサッシに関する。
【背景技術】
【０００２】
引き違いや片引きなど、障子を面内方向に摺動させるサッシにおいては、障子の閉鎖時に室内外方向に重なる框（召合框）に、相互に係合する部分を設けることで、召合框同士を拘束し、サッシの性能（耐風圧、気密、水密、防火など）を確保している。図２５は、引き違い窓のアルミサッシの例を示したものであり、枠体１に納めた内障子２と外障子３の、それぞれの召合框（内召合框２ｃ、外召合框３ｃ）の対向面に、略Ｌ字形の煙返し部（内煙返し部１１、外煙返し部１２）を形成してある。内障子２と外障子３を閉鎖すると、内煙返し部１１と外煙返し部１２が係合して、内召合框２ｃと外召合框３ｃとを拘束する。さらに、内召合框２ｃ及び外召合框３ｃの上下方向中央部にはクレセント（図示省略）が取り付けてあり、このクレセントも、内召合框２ｃと外召合框３ｃとを拘束する。
【発明の概要】
【発明が解決しようとする課題】
【０００３】
しかしながら、火災時においてサッシが炎熱にさらされると、内召合框２ｃ及び外召合框３ｃに伸びや捩れが生じて内煙返し部１１と外煙返し部１２の係合が外れ、特に高さの高いサッシの場合、クレセントの取付部分の上下に隙間が生じるおそれがあった。
【０００４】
本発明は、上記事情を鑑みたものであり、炎熱にさらされた際に召合框が変形して隙間が生じることを抑えたサッシを提供することを目的とする。
【課題を解決するための手段】
【０００５】
本発明は、枠体と、枠体に摺動自在に納めた内障子及び外障子と、クレセントと、拘束部材と、受け部材とを備え、内障子と外障子は、それぞれの召合框の対向面に煙返し部を有していて、一方の障子の煙返し部には、摺動方向に貫通する貫通孔を形成してあり、クレセントは、内障子の召合框と外障子の召合框とを拘束するものであり、拘束部材は、他方の障子の召合框の対向面に取り付けてあって、他方の障子の閉鎖方向に延びる係合片を有しており、受け部材は、一方の障子の召合框の対向面に取り付けてあり、内障子と外障子を閉鎖すると、係合片が貫通孔を貫通して受け部材に係合するものであることを特徴とする。なお、それぞれの召合框の対向面とは、内障子の召合框の室外側面および外障子の召合框の室内側面のことである。
【発明の効果】
【０００６】
本発明によれば、サッシが炎熱にさらされて召合框に伸びや捩れが生じた場合であっても、拘束部材が内障子の召合框と外障子の召合框を室内外方向に拘束し、召合框が変形して隙間が生じることを抑え、サッシの性能を維持することができる。特に、拘束部材を、クレセントとサッシの上下端の間に取り付けて、クレセントと拘束部材の両方で内障子の召合框と外障子の召合框を拘束するようにすれば、より確実に隙間の発生を抑えることができる。
【図面の簡単な説明】
【０００７】
【図１】サッシの召合框部分の横断面図であり、（ａ）は開放時、（ｂ）は閉鎖時を示す。
【図２】拘束部材の取付部分の分解斜視図である。
【図３】拘束部材の三面図であり、（ａ）は上面図、（ｂ）は見込方向視図、（ｃ）は見付方向視図である。
【図４】受け部材の取付部分の分解斜視図である。
【図５】受け部材の三面図であり、（ａ）は上面図、（ｂ）は見付方向視図、（ｃ）は見込方向視図である。
【図６】サッシの横断面図である。
【図７】サッシの室内側正面図である。
【図８】内召合框の上端部を示し、（ａ）は見付方向視図（図７のＡ−Ａ線断面図）、（ｂ）は横断面図である。
【図９】内召合框の下端部を示し、（ａ）は見付方向視図（図７のＢ−Ｂ線断面図）、（ｂ）は横断面図である。
【図１０】上側対向部材の三面図であり、（ａ）は見込方向視図、（ｂ）は見付方向視図、（ｃ）は下面図である。
【図１１】内下側対向部材及び外下側対向部材の三面図であり、（ａ）、（ｄ）は上面図、（ｂ）、（ｅ）は見込方向視図、（ｃ）、（ｆ）は見付方向視図である。
【図１２】外召合框の上端部を示し、（ａ）は見付方向視図（図７のＣ−Ｃ線断面図）、（ｂ）は横断面図である。
【図１３】外召合框の下端部を示し、（ａ）は見付方向視図（図７のＤ−Ｄ線断面図）、（ｂ）は横断面図である。
【図１４】障子の下端部の、引寄せ部材取付部分の縦断面図（図７のＥ−Ｅ線断面図）である。
【図１５】引寄せ部材の三面図であり、（ａ）は見込方向視図、（ｂ）は見付方向視図、（ｃ）は下面図である。
【図１６】サッシの縦断面図であり、（ａ）は通常時、（ｂ）は火災時を示す。
【図１７】障子の上端部の、間隔保持具及び倒れ防止具の取付部分の縦断面図である。
【図１８】間隔保持具の二面図であり、（ａ）は見付方向視図、（ｂ）は見込方向視図である。
【図１９】倒れ防止具の二面図であり、（ａ）は上面図、（ｂ）は見付方向視図である。
【図２０】障子の上端部の、内振れ止め部材及び外振れ止め部材の取付部分の縦断面図である。
【図２１】内障子の戸先部の、外れ止め具の取付部分の横断面図であり、（ａ）は開放時、（ｂ）は閉鎖時を示す。
【図２２】外れ止め具の三面図であり、（ａ）は上面図、（ｂ）は見込方向視図、（ｃ）は見付方向視図である。
【図２３】内障子の戸先部の、引寄せ具の取付部分の横断面図であり、（ａ）は開放時、（ｂ）は閉鎖時を示す。
【図２４】引寄せ具と外れ止め具を比較した説明図である。
【図２５】従来のサッシの横断面図である。
【発明を実施するための形態】
【０００８】
以下、本発明の実施の形態を図面に基づいて説明する。なお、以下において上下左右とは、図７中の上下左右方向を表す。本発明のサッシの種類は、障子が面内方向に摺動するものであればよく、引き違い窓や片引き窓などが挙げられるが、ここでは一例として、図６及び図７に示すように、枠体１に内障子２と外障子３を引き違いに収めた引き違い窓のアルミサッシの例を挙げる。枠体１は、上枠１ａと、下枠１ｂと、左右の竪枠１ｃとを四周枠組みしたものであり、上枠１ａの下面側には、図１７に示すように、見込方向の略中央部に中間片４１を設けてあり、中間片４１の室外側にガイドレール４２を設けてあり、室内側端に室内側片４３を設けてある。一方、下枠１ｂの上面側には、図１４に示すように、平行する二本のレール４ａ，４ｂを設けてある。そして、内障子２及び外障子３は、何れも上框２ａ，３ａと、下框２ｂ，３ｂと、召合框（内召合框２ｃ、外召合框３ｃ）と、戸先框２ｄ，３ｄとを四周框組みしてパネル２ｅ，３ｅを嵌め込んだものである。内障子２及び外障子３の下框２ｂ，３ｂの下面側には樹脂製の戸車３１を取り付けてあって、戸車３１がレール４ａ，４ｂ上を転動する。内障子２の上端部は上枠１ａの中間片４１と室内側片４３に挟まれており、外障子３の上端部には溝３ｇが設けてあって、溝３ｇがガイドレール４２を呑み込んでいる。内障子２及び外障子３を閉鎖すると、図６に示すように、内召合框２ｃと、外召合框３ｃが室内外方向に重なる。そして、サッシの上下方向中央部には、クレセント５を取り付けてある。クレセント５は、内召合框２ｃに設けた鎌部（図示省略）と、外召合框３ｃに設けた受け具（図示省略）とを有し、鎌部が受け具に係合して内召合框２ｃと外召合框３ｃとを拘束するものである。
【０００９】
第一に、内召合框２ｃと外召合框３ｃの対向面部分の構成について詳述する。
【００１０】
内召合框２ｃと外召合框３ｃの対向面、すなわち、内召合框２ｃの室外側面２ｆと外召合框３ｃの室内側面３ｆには、それぞれ煙返し部（内煙返し部１１、外煙返し部１２）を設けてある。内煙返し部１１及び外煙返し部１２は、図１、図２及び図４に示すように、何れも略Ｌ字形で、室内外方向に延びる見込片１１１，１２１と、見込片１１１，１２１の先端から各障子の閉鎖方向（内障子２については右側方向、外障子３については左側方向）に延びる見付片１１２，１２２からなる。そして、内煙返し部１１の見付片１１２の先端の室内側と、外煙返し部１２の見付片１２２の先端の室外側には、見付片１１２，１２２が先細形状となる向きに傾斜した傾斜面１１３，１２３が形成されており、内障子２及び外障子３を閉鎖すると、内煙返し部１１の傾斜面１１３と外煙返し部１２の傾斜面１２３とが当接して、内召合框２ｃと外召合框３ｃとを拘束する。なお、内召合框２ｃの室外側面２ｆの左側端には、タイト材ホルダ１３を設けてあり、タイト材ホルダ１３に不燃樹脂からなるタイト材１４を嵌め込んである。タイト材１４は、内障子２及び外障子３を閉鎖した際に、外召合框３ｃの室内側面３ｆに当接する。また、外召合框３ｃの室内側面３ｆの右側端には、室内側に向けて突出する突出片１５を設けてある。
【００１１】
そして、内召合框２ｃの室外側面２ｆには、拘束部材１６を取り付けてある。拘束部材１６は、ステンレス製であって、図３に示すように、略矩形平板形状の係合片１６１と、略直方体形状で係合片１６１の室内側の左端に位置する基部１６２からなり、係合片１６１と基部１６２とを貫通するネジ孔１６３が形成されている。これを内召合框２ｃの室外側面２ｆに取り付ける際には、図１及び図２に示すように、基部１６２を、内煙返し部１１の見込片１１１とタイト材ホルダ１３との間の溝状部分に納めてネジ止めする。すると、係合片１６１は、ネジ止め部分から内障子２の閉鎖方向（右側方向）に向けて延びる向きとなる。基部１６２の見込方向長さは、内煙返し部１１の見込片１１１の見込方向長さと同じであり、係合片１６１は内煙返し部１１の見付片１１２に当接する。そして係合片１６１の見付方向長さは見付片１１２の見付方向長さよりも長く、係合片１６１の先端は見付片１１２の先端よりも内障子２の閉鎖方向（右側方向）に突出している。なお、係合片１６１と基部１６２とは、別部材であっても、一体に形成されたものであっても、どちらでもよい。
【００１２】
一方、外召合框３ｃの室内側面３ｆには、受け部材１７を取り付けてある。受け部材１７は、アルミ製であって、図５に示すように、略直方体形状で、外障子３の閉鎖方向側の面（左側面）に、凹部１７１が形成されている。凹部１７１は、室内側の面を残して掘り込んだ形状であり、上下方向幅は拘束部材１６の係合片１６１の上下方向幅よりも長くなっている。また、凹部１７１の上下には、室内外方向に貫通するネジ孔１７２が形成されている。これを外召合框３ｃの室内側面３ｆに取り付ける際には、図１及び図４に示すように、受け部材１７自体を、外煙返し部１２の見込片１２１と突出片１５の間の溝状部分に納めてネジ止めする。なお、受け部材１７が接する外煙返し部１２の見込片１２１には、外障子３の摺動方向（左右方向）に貫通する貫通孔１８を形成してあり、貫通孔１８は略矩形で凹部１７１と連通していて、受け部材１７が貫通孔１８を右側から塞いでいる。
【００１３】
なお、拘束部材１６及び受け部材１７は、図７に示すように、クレセント５とサッシの上端部の中間位置と、クレセント５とサッシの下端部の中間位置の二箇所に取り付けてある。
【００１４】
このような拘束部材１６及び受け部材１７を取り付けたサッシにおいては、内障子２と外障子３を閉鎖すると、拘束部材１６の係合片１６１が、貫通孔１８を貫通して、受け部材１７の凹部１７１に挿入される（図１（ｂ）の状態）。また、内障子２と外障子３を開放すると、係合片１６１が受け部材１７の凹部１７１及び貫通孔１８から引き抜かれる（図１（ａ）の状態）。よって、拘束部材１６及び受け部材１７が、内障子２及び外障子３の開閉動作に影響することはない。
【００１５】
そして、拘束部材１６の係合片１６１が、貫通孔１８を貫通してさらに受け部材１７の凹部１７１に挿入されることにより、内召合框２ｃと外召合框３ｃが室内外方向に拘束される。この際、通常の障子の閉鎖動作以外に特別な操作は必要なく、また構造自体も極めて簡易である。そして、係合片１６１は、外煙返し部１２の見込片１２１の左右方向厚さと、受け部材１７の凹部１７１の左右方向深さを合わせた長さ分だけ、貫通孔１８及び受け部材１７と係合することになるので、係り代が深く、確実に内召合框２ｃと外召合框３ｃとが拘束される。よって、火災時にサッシが炎熱にさらされて召合框に伸びや捩れが生じた場合であっても、召合框が変形して隙間が生じることを抑え、サッシの性能を維持することができる。また、拘束部材１６及び受け部材１７は、クレセント５とサッシの上下端のそれぞれの中間位置に取り付けてあり、クレセント５と、拘束部材１６及び受け部材１７の両方で内召合框２ｃと外召合框３ｃを拘束するので、より確実に隙間の発生を抑えることができる。さらに、外煙返し部１２に形成された貫通孔１８は、受け部材１７によって塞がれているので、この部分の気密性や水密性は維持されている。
【００１６】
なお、内召合框と外召合框の対向面部分の構成については、上記の実施形態に限定されない。たとえば、上記の実施形態とは逆に、内召合框に貫通孔を設けて受け部材を取り付け、外召合框に拘束部材を取り付けてもよい。また、一つのサッシに取り付ける拘束部材及び受け部材の個数はいくつであってもよい。たとえば、高さの低いサッシには一つだけ取り付けたり、より高さの高いサッシには三つ以上取り付けたりするなど、サッシの形状などに応じて自由に設定できる。さらに、この構成は、内障子と外障子の何れかが嵌め殺しとなっている片引きサッシにも適用できる。
【００１７】
第二に、内召合框２ｃ及び外召合框３ｃの上下端部分の構成について詳述する。
【００１８】
まず、内障子２の内召合框２ｃの見込面の上端部には、図８に示すように、円形のビスホール２２を形成してある。ビスホール２２は、内召合框２ｃに対して上框２ａを連結する際に、ネジ及びドライバーを挿入するための孔である。そして、このビスホール２２を塞ぐようにして、アルミ製の遮断板２１をネジ止めしてある。遮断板２１は、略矩形であって、室外側の上部を切り欠いた形状である。そして遮断板２１には上下二箇所にネジ孔２１２を形成してあり、このネジ孔２１２は上下に長い長孔となっていて、遮断板２１の上下位置が調整可能となっている。遮断板２１の上端部は、内召合框２ｃの上端よりも上側に突出しており、上枠１ａの中間片４１と室内側片４３の間に位置している。また、遮断板２１の内召合框２ｃに接する側の面は、上部が削られて薄くなっており、薄くなった分と同じ厚さの難燃シリコンのシートを貼り付けてある。このシートは、遮断板２１の上側辺、室内側辺及び室外側辺から飛び出しており、この飛び出した部分がヒレ片２１１となっている。また、上枠１ａの、障子閉鎖時の内召合框２ｃに対向する位置には、アルミ製の上側対向部材２３を取り付けてある。上側対向部材２３は、図１０に示すように、上側対向片２３１と室内側対向片２３２からなる略Ｌ字形のものであり、上側対向片２３１にネジ孔２３３を形成してあって、上枠１ａの中間片４１と室内側片４３の間にネジ止めしてある。そして、ヒレ片２１１は、上側については上側対向片２３１に摺接し、室内側については室内側対向片２３２に摺接し、室外側については中間片４１に摺接する。
【００１９】
一方、内障子２の内召合框２ｃの見込面の下端部には、図９に示すように、上下に長い長円形のビスホール２２を形成してある。ビスホール２２は、内召合框２ｃに対して下框２ｂを連結する際に、ネジ及びドライバーを挿入するための孔である。そして、このビスホール２２を塞ぐようにして、アルミ製の遮断板２１をネジ止めしてある。遮断板２１は、略矩形であって、室内側のレール４ａを跨ぐように切り欠いた形状である。そして遮断板２１には上下二箇所にネジ孔２１２を形成してあり、このネジ孔２１２は上下に長い長孔となっていて、遮断板２１の上下位置が調整可能となっている。遮断板２１の下端部は、内召合框２ｃの下端よりも下側に突出している。また、遮断板２１の内召合框２ｃに接する側の面は、下部が削られて薄くなっており、薄くなった分と同じ厚さの難燃シリコンのシートを貼り付けてある。このシートは、遮断板２１の下側辺及び室外側辺から飛び出しており、この飛び出した部分がヒレ片２１１となっている。また、下枠１ｂの、障子閉鎖時の内召合框２ｃに対向する位置には、アルミ製の下側対向部材を取り付けてある。下側対向部材は、内下側対向部材２４と、外下側対向部材２５の二部材からなるものであり、図１１に示すように、何れの部材も上面には内障子２の閉鎖方向に向けて上向きに傾斜する傾斜面２４１，２５１を形成してあり、上下方向に貫通するネジ孔２４２，２５２を有している。内下側対向部材２４は、室内側のレール４ａの室内側の下枠１ｂの内周側面にネジ止めしてあり、外下側対向部材２５は、室内側のレール４ａの室外側から水平に延びる水平片３５の上面にネジ止めしてある。そして、ヒレ片２１１は、下側については内下側対向部材２４及び外下側対向部材２５に摺接し、室外側については外障子３に摺接する。
【００２０】
このように遮断板２１を設けることにより、ヒレ片２１１が上枠１ａ及び下枠１ｂに当接し、枠体１と内召合框２ｃの上下端との間の隙間を塞いで、風の侵入、音もれや水の流入を防ぐ。これにより、枠体１に風止板や止水板といった樹脂製部品を設ける必要がなくなり、それらが溶解することに起因する延焼のおそれがなくなる。また、遮断板２１により内召合框２ｃのビスホール２２を塞ぐことで、樹脂キャップが不要となる。そして遮断板２１は、火炎や可燃性ガスが框の内部からビスホール２２を通って室外から室内へ、またはその逆へ流れて延焼することを防ぐ。さらに、枠体１側に上側対向部材２３及び下側対向部材（内下側対向部材２４及び外下側対向部材２５）を設けたことにより、遮断板２１との間の隙間を小さくして、樹脂製のヒレ片２１１の量を最小限にとどめるとともに、室内外を確実に遮断して気密性・水密性を高めている。なお、内下側対向部材２４及び外下側対向部材２５については、上面に内障子２の閉鎖方向に向けて上向きに傾斜する傾斜面２４１，２５１を形成してあるので、ヒレ片２１１が滑らかに摺接する。また、遮断板２１、上側対向部材２３、内下側対向部材２４及び外下側対向部材２５は、何れもアルミ製であって、内障子２及び外障子３の框や枠体１と同じ素材からなるので、外観に統一感があり意匠性が良好である。
【００２１】
そして、外障子３の外召合框３ｃの見込面の上下端部にも、ビスホール２２を形成してある。上端部のビスホール２２は、図１２に示すように円形のものであり、下端部のビスホール２２は、図１３に示すように上下に長い長円形のものである。そして、これらのビスホール２２を塞ぐようにして、外召合框３ｃの見込面の上下端部のそれぞれにアルミ製の閉塞板２６をネジ止めしてある。閉塞板２６は、何れも略矩形のもので、上下二箇所にネジ孔を有している。閉塞板２６は、遮断板のように外召合框３ｃの上下端から突出しておらず、ビスホール２２を塞ぐだけのものである。このような閉塞板２６により外召合框３ｃのビスホール２２を塞ぐことで、樹脂キャップが不要となる。そして閉塞板２６は、火炎や可燃性ガスが框の内部からビスホール２２を通って室外から室内へ、またはその逆へ流れて延焼することを防ぐ。
【００２２】
なお、内召合框及び外召合框の上下端部分の構成については、上記の実施形態に限定されない。たとえば、遮断板の形状は、枠体の形状などに合わせて自由に設定できる。また、上側対向部材や下側対向部材は、必ずしも必要なものではなく、ヒレ片を枠体の内周側面に直接摺接させてもよい。さらに、遮断板は、内召合框の上下端のみならず、外召合框の上下端や、戸先框の上下端に設けてもよい。
【００２３】
第三に、下枠１ｂ及び下框２ｂ，３ｂ部分の構成について詳述する。
【００２４】
図１４に示すように、下枠１ｂは、室内側端に設けた室内側片３４と、室内側のレール４ａの室外側から水平に延びる水平片３５とを有しており、室内側片３４の室外側面と、水平片３５の室外側端面には、不燃樹脂からなるタイト材３３を設けてある。タイト材３３は、それぞれ内障子２と外障子３の下框２ｂ，３ｂの室内側面に摺接している。また、内障子２及び外障子３の下框２ｂ，３ｂは、下側に向けて開口する溝２ｈ，３ｈを有しており、溝２ｈ，３ｈの上下方向中間部には仕切面２ｉ，３ｉを形成してあり、仕切面２ｉ，３ｉには孔を形成してあって、この孔に戸車３１を納めてある。戸車３１は、図７に示すように、内障子２と外障子３のそれぞれの左右両端部に設けてある。
【００２５】
そして、仕切面２ｉ，３ｉの下面側には、引寄せ部材３２を取り付けてある。引寄せ部材３２は、図１５に示すように、仕切面２ｉ，３ｉに当接する設置面３２２と、設置面３２２から下方に延びる垂下面３２３とを有する略Ｌ字形のものである。設置面３２２にはネジ孔３２４を形成してあって、仕切面２ｉ，３ｉにネジ止めしてある。また、垂下面３２３は見込方向に平行する面であって、垂下面３２３の下端は、室内側に向かって下向きに傾斜しており、レール４ａ，４ｂに対向する下端面を傾斜面部３２１とする。この引寄せ部材３２は、内障子２と外障子３のそれぞれの左右方向中央部及び両端部（戸車３１よりも内側）に取り付けてある。なお、傾斜面部３２１は戸車３１の下端部（レール４ａ，４ｂに接触する点）よりも上側に位置しているので、引寄せ部材３２は、通常時（図１６（ａ）の状態）には内障子２及び外障子３の動作に影響しない。
【００２６】
このような引寄せ部材３２を設けたサッシにおいては、火災時（図１６（ｂ）の状態）に戸車３１が溶解すると、引寄せ部材３２の傾斜面部３２１がレール４ａ，４ｂに当接して、内障子２及び外障子３が下方に移動することを防ぐ。そして、傾斜面部３２１は室内側に向かって下向きに傾斜しているから、下框２ｂ，３ｂは傾斜面部３２１に案内されて室内側に引寄せられる。すると、下框２ｂ，３ｂの室内側面が、下枠１ｂの室内側片３４の室外側面及び水平片３５の室外側端面に設けたタイト材３３に密接する。これにより、枠体１と内障子２及び外障子３との間に隙間が生じることがなく、火炎や可燃性ガスの流通を確実に遮断して、延焼を防ぐことができる。また、タイト材３３が不燃樹脂からなるものであるから、溶解して可燃性ガスを生じることもない。
【００２７】
なお、下枠及び下框部分の構成については、上記の実施形態に限定されない。たとえば、引寄せ部材は、室内側に向かって下向きに傾斜する傾斜面部を有するものであればよく、Ｌ字形のもののほか、ブロック状のものなどでもよい。また、傾斜面部が曲面状であってもよい。さらに、引寄せ部材の個数や取り付けの左右方向位置は、サッシの形状や大きさ及び戸車の位置などに合わせて自由に設定できる。
【００２８】
第四に、上枠１ａ及び上框２ａ，３ａ部分の構成について詳述する。
【００２９】
図１７に示すように、内障子２の上端部には溝２ｇが設けてあって、溝２ｇの室外側の壁面の上端部に、樹脂製の内振れ止め部材４４と、金属製の間隔保持具４５を設けてある。内振れ止め部材４４は、図２０に示すように、略Ｕ字形であって、溝２ｇの室外側の壁面の上端部を挟むように取り付けてあり、上框２ａの室外側に露出する部分を対向部４４１としてある。上框２ａは、上枠１ａの中間片４１と室内側片４３に挟まれているから、対向部４４１は、中間片４１の室内側面に対向する。この内振れ止め部材４４は、図７に示すように、内障子２の左右両端部に設けてある。一方、間隔保持具４５は、図１８に示すように、略平板形状で上框２ａの室外側に露出する部分を挟込部４５１としてあって、上端部が室内側に突出している。挟込部４５１には見込方向に貫通するネジ孔４５２を有していて、上框２ａの室外側面の上端部にネジ止めしてある。間隔保持具４５の挟込部４５１も、内振れ止め部材４４の対向部４４１と同様に、中間片４１の室内側面に対向する。ただし、挟込部４５１は見込寸法を対向部４４１より小さくしてある。この間隔保持具４５は、内障子２の左右方向中央部及び両端部（内振れ止め部材４４よりも内側）に取り付けてある。なお、上枠１ａの室内側片４３の室外側面の下端部には、不燃樹脂からなるタイト材４８を取り付けてあり、タイト材４８は内障子２の上框２ａの室内側面に摺接している。
【００３０】
また、外障子３の上端部の溝３ｇ内には、樹脂製の外振れ止め部材４６と、金属製の倒れ防止具４７を設けてある。外振れ止め部材４６は、図２０に示すように、溝３ｇに嵌め込んで取り付けてあり、ガイドレール４２の室内側面に対向する内側対向部４６１と、室外側面に対向する外側対向部４６２を有している。この外振れ止め部材４６は、図７に示すように、外障子３の左右両端部に設けてある。一方、倒れ防止具４７は、図１９に示すように、略Ｌ字形であって、溝３ｇの底面に当接する支持部４７２と、支持部４７２から上向きに延びる当接部４７１からなり、支持部４７２には上下方向に貫通するネジ孔４７３を有していて、支持部４７２を溝３ｇの底面にネジ止めしてある。倒れ防止具４７の当接部４７１は、ガイドレール４２の室内側面に対向する。ただし、当接部４７１は、外振れ止め部材４６の内側対向部４６１よりも、ガイドレール４２の室内側面から離隔している。この倒れ防止具４７は、外障子３の左右方向中央部及び両端部（外振れ止め部材４６よりも内側）に取り付けてある。なお、上枠１ａの中間片４１の室外側面の下端部には、不燃樹脂からなるタイト材４８を取り付けてあり、タイト材４８は外障子３の上框３ａの室内側面に摺接している。
【００３１】
このように構成したサッシにおいて、内障子２の間隔保持具４５の挟込部４５１は、内振れ止め部材４４の対向部４４１よりも見込寸法が小さいので、通常時（図１６（ａ）の状態）には中間片４１に接することはなく、内振れ止め部材４４の対向部４４１が中間片４１の室内側面に摺接する。また、外障子３の倒れ防止具４７の当接部４７１は、外振れ止め部材４６の内側対向部４６１よりもガイドレール４２の室内側面から離隔しているので、こちらも通常時にはガイドレール４２に接することはなく、外振れ止め部材４６の内側対向部４６１及び外側対向部４６２がガイドレール４２に摺接する。よって、通常時には、樹脂製の内振れ止め部材４４及び外振れ止め部材４６がアルミ製の上枠１ａに接することで、傷が付くことや大きな衝突音が生じることを防いでおり、間隔保持具４５及び倒れ防止具４７は、通常時のサッシの機能及び動作にはまったく影響しない。そして、火災時（図１６（ｂ）の状態）には、炎熱にさらされて樹脂製の内振れ止め部材４４及び外振れ止め部材４６が溶解した場合でも、金属製の間隔保持具４５及び倒れ防止具４７が内障子２及び外障子３のガタツキの発生や脱落を防ぐ。すなわち、内障子２の内振れ止め部材４４が溶解した際には、間隔保持具４５の挟込部４５１が中間片４１の室内側面に当接し、両上框２ａ，３ａの間隔を保持することで、クレセント５の施錠時のガタツキを抑える。また、外障子３の外振れ止め部材４６が溶解した際には、倒れ防止具４７がガイドレール４２の室内側面に当接し、外障子３が室外側に倒れることを防ぐ。さらに、間隔保持具４５及び倒れ防止具４７が内障子２及び外障子３の上框２ａ，３ａの室外側への移動を規制するので、上框２ａ，３ａの室内側面にタイト材４８が当接した状態を維持することができる。そしてこのように上框２ａ，３ａの見込方向の動きが規制されていれば、内障子２及び外障子３が脱落することもない。
【００３２】
なお、上枠及び上框部分の構成については、上記の実施形態に限定されない。たとえば、内振れ止め部材、間隔保持具、外振れ止め部材及び倒れ防止具は、上記の要件を満たすものであれば、何れも、形状や上框への取付方法などはどのようなものであってもよい。また、内振れ止め部材、間隔保持具、外振れ止め部材及び倒れ防止具の個数や取り付けの左右方向位置は、サッシの形状や大きさなどに合わせて自由に設定できる。
【００３３】
第五に、竪枠１ｃ及び戸先框２ｄ，３ｄ部分の構成について詳述する。
【００３４】
図２１に示すように、枠体１の竪枠１ｃの内周側面には、上下に延びる突条５１を形成してある。突条５１は、障子の戸先側の見込面に対向する位置に設けてあり、図２１に示す右側の竪枠１ｃにおいては、内障子２の戸先框２ｄの見込面に対向している。左側の竪枠１ｃにおいては、図６に示すように、外障子３の戸先框３ｄの見込面に対向するように、突条５１を設けてある。以下、右側の竪枠１ｃ及び内障子２の戸先部分について説明するが、左側の竪枠１ｃ及び外障子３についても同様である。
【００３５】
内障子２の戸先框２ｄの見込面には、竪枠１ｃの突条５１を呑み込む溝２ｊを形成してある。そして、溝２ｊ内に、樹脂製の引寄せ具５２（図２３）と、金属製の外れ止め具５３（図２１）とを設けてある。外れ止め具５３は、図２２に示すように、上面視して略Ｌ字形であり、溝２ｊの底面に当接する設置部５３２と、設置部５３２の室内側端から右側に向けて延びる係止面５３１とを備える。係止面５３１は、右側方向（内障子２の閉鎖方向）に向かって室内側向きに傾斜しており、内障子２を閉鎖した際には突条５１の室内側面に対向する。また、設置部５３２の上下方向中央部には、左右方向に貫通するネジ孔５３３を設けてあり、このネジ孔５３３にネジを挿入して、戸先框２ｄにネジ止めしてある。一方、引寄せ具５２は、外れ止め具５３と略同一の形状で、設置部５２２と、当接面５２１とを備えており、当接面５２１は、右側方向（内障子２の閉鎖方向）に向かって室内側向きに傾斜している。ただし、図２４に示すように、当接面５２１は、外れ止め具５３の係止面５３１よりも室外側に位置している。また、ネジ孔は有しておらず、戸先框２ｄに接着してある。なお、図７に示すように、引寄せ具５２及び外れ止め具５３は、戸先框２ｄにそれぞれ三個ずつ取り付けてある。何れも、戸先框２ｄの上下方向中央部と、上部及び下部に取り付けてあるが、上側の引寄せ具５２は上側の外れ止め具５３よりも下側に、下側の引寄せ具５２は下側の外れ止め具５３よりも上側に位置している。また、戸先框２ｄの溝２ｊの底面には、引寄せ具５２及び外れ止め具５３を取り付けた部分を除いて、耐火材５４を取り付けてある。この耐火材５４は、エポキシ系の素材からなり、約２００℃で発泡して厚さ方向（取付面に対して垂直方向）に膨張するものである。さらに、外れ止め具５３の設置部５３２の表面にも、同じ耐火材５４を取り付けてある。なお、竪枠１ｃの室内側端には室内側片５５を設けてあり、室内側片５５の室外側面に、不燃樹脂からなるタイト材５６を取り付けてある。内障子２を閉鎖すると、タイト材５６が戸先框２ｄの室内側面に当接する。
【００３６】
このように構成したサッシにおいては、通常時は、障子（内障子２及び外障子３）を開放した状態から閉鎖した際に、樹脂製の引寄せ具５２の当接面５２１が竪枠１ｃの突条５１に当接して障子が室内側に引寄せられ、ガタツキの発生を防ぐとともに、戸先框２ｄの室内側面にタイト材５６を当接させて隙間が生じることを防ぐ。また、樹脂製の引寄せ具５２が竪枠１ｃに接触することで、傷が付くことや大きな衝突音が生じることを防いでいる。そして、火災時にサッシが炎熱にさらされ、樹脂製の引寄せ具５２が溶解した場合は、障子を閉鎖した状態において、金属製の外れ止め具５３の係止面５３１が竪枠１ｃの突条５１の室内側面に当接して、障子を室内側に引寄せかつタイト材５６が戸先框２ｄに当接した状態を維持し、ガタツキや隙間の発生を防ぐ。そしてこのように障子の戸先の見込方向の動きが規制されていれば、障子が枠体１から外れることもない。なお、引寄せ具５２の当接面５２１は、外れ止め具５３の係止面５３１よりも室外側に位置しているので、通常時は引寄せ具５２が竪枠１ｃの突条５１に接し、外れ止め具５３は突条５１に接することがない。よって、外れ止め具５３は、通常時のサッシの機能及び動作にはまったく影響しない。また、火災時においては、戸先框２ｄ，３ｄに取り付けた耐火材５４が発泡して竪枠１ｃに当接するので、より確実に隙間が塞がれる。
【００３７】
なお、竪枠及び戸先框部分の構成については、上記の実施形態に限定されない。たとえば、引寄せ具及び外れ止め具は、上記の要件を満たすものであれば、何れも、形状や戸先框への取付方法などはどのようなものであってもよい。また、引寄せ具及び外れ止め具の個数や取り付けの上下方向位置は、サッシの形状や大きさなどに合わせて自由に設定できる。
【００３８】
以上のように、本実施形態のサッシは、内召合框と外召合框の対向面部分、内召合框及び外召合框の上下端部分、下枠及び下框部分、上枠及び上框部分、竪枠及び戸先框部分の各部分に、火災時において障子同士又は障子と枠体との間に隙間が生じることを防ぐための構造を備えている。すなわち、火災時においては、炎熱により障子の各框に伸びや捩れが生じ得るとともに、各所に設けた樹脂製の部品（下框の戸車、上框の振れ止め部材及び戸先框の引寄せ具）が溶解してしまう。その際、内障子の内召合框と外障子の外召合框は、クレセントと拘束部材により室内外方向に確実に拘束されるので、内障子と外障子の間に隙間が生じない。また、下框に設けた引寄せ部材により、障子が下方に移動することを防ぎ、かつ障子の下部を室内側に引寄せる。さらに、内障子と外障子の両上框の間に上枠の中間片が位置していて、内障子の上框に設けた間隔保持具が中間片に当接することより、両上框の間隔が保持されてクレセントの施常状態におけるガタツキを抑える。また、外障子の上框に設けた倒れ防止具が上枠のガイドレールに当接することにより、障子の上部が室外側へ移動することを防ぐ。なお、下框の引寄せ部材により障子の下方への移動を防ぐことで、上框が上枠から外れることを防ぎ、間隔保持具及び倒れ防止具を確実に上枠に当接させている。さらに、戸先框に設けた外れ止め具により、障子の戸先部が室内側に引寄せられた状態を維持する。そして、上枠、下枠及び竪枠には、それぞれ障子の各框の室内側面に対向する位置に不燃樹脂からなるタイト材を設けてあり、上述のとおり室内側に引寄せられた各框がタイト材と密接して、枠体の四周において障子との間に隙間が生じることを防ぐ。なお、このタイト材は障子の各框と枠体との間に位置するものであればよく、障子と枠体のどちらに取り付けてあってもよい。また、遮断板及び閉塞板により障子の召合框のビスホールを塞いであるので、火炎や可燃性ガスが框の内部からビスホールを通って室内外に流れ出すことを防ぐ。このように、本実施形態のサッシは、枠体の四周及び内障子と外障子の召合部において隙間が生じることを防ぎ、さらに框の内部を経由して室内外が連通することを防いでいるので、火炎や可燃性ガスを確実に遮断して延焼を防ぐことができる。
【符号の説明】
【００３９】
１  枠体
２  内障子
２ｃ  内召合框（召合框）
３  外障子
３ｃ  外召合框（召合框）
５  クレセント
１１  内煙返し部（煙返し部）
１２  外煙返し部（煙返し部）
１６  拘束部材
１７  受け部材
１８  貫通孔
１６１  係合片
【図１】
0005855937.tif 000002
【図２】
0005855937.tif 000003
【図３】
0005855937.tif 000004
【図４】
0005855937.tif 000005
【図５】
0005855937.tif 000006
【図６】
0005855937.tif 000007
【図７】
0005855937.tif 000008
【図８】
0005855937.tif 000009
【図９】
0005855937.tif 000010
【図１０】
0005855937.tif 000011
【図１１】
0005855937.tif 000012
【図１２】
0005855937.tif 000013
【図１３】
0005855937.tif 000014
【図１４】
0005855937.tif 000015
【図１５】
0005855937.tif 000016
【図１６】
0005855937.tif 000017
【図１７】
0005855937.tif 000018
【図１８】
0005855937.tif 000019
【図１９】
0005855937.tif 000020
【図２０】
0005855937.tif 000021
【図２１】
0005855937.tif 000022
【図２２】
0005855937.tif 000023
【図２３】
0005855937.tif 000024
【図２４】
0005855937.tif 000025
【図２５】
0005855937.tif 000026